(57)【要約】【課題】例えばディスク装置等を追加する際に、筐体の設計変更を最小限にすることができる電子機器を提供する。【解決手段】本発明の電子機器は、筐体２１、プリント回路板２５、第１の蓋部材４１、副ディスク装置２７、および第２の蓋部材４２を具備する。第１の蓋部材４１は、筐体２１の底面の一部に設けられた第１の開口部３１を覆うよう着脱可能に配置される。副ディスク装置２７は、第１の蓋部材４１が第１の開口部３１から外れた状態で、第１の開口部３１の内側かつプリント回路板２５よりも下方の位置に装着される。第２の蓋部材４２は、第１の開口部３１の内側に副ディスク装置２７が装着された状態で第１の開口部３１を覆うよう着脱可能に配置される。第２の蓋部材４２は、収納部４２Ｂを有し、この収納部４２Ｂに副ディスク装置２７が収納される。【選択図】図８
2008234747.tif 000002
【特許請求の範囲】
【請求項１】
筐体と、
前記筐体の内部に収容されるプリント回路板と、
前記筐体の底面の開口部を覆うよう着脱可能に配置された第１の蓋部材と、
前記第１の蓋部材が前記開口部から外れた状態で、前記開口部の内側かつ前記プリント回路板よりも下方の位置に装着されるディスク装置と、
前記開口部の内側に前記ディスク装置が装着された状態で前記開口部を覆うよう着脱可能に配置された第２の蓋部材と、
を具備し、
前記第２の蓋部材は、収納部を有し、この収納部に前記ディスク装置が収納されることを特徴とする電子機器。
【請求項２】
前記第１の蓋部材は、
蓋本体と、
前記蓋本体から突出するように形成された第１の脚部と、
を有し、
前記第２の蓋部材の収納部は、前記第１の蓋部材の第１の脚部の高さの範囲内に配置されることを特徴とする請求項１に記載の電子機器。
【請求項３】
前記第２の蓋部材は、第２の脚部を有し、この第２の脚部は前記収納部から突出するように形成されており、
前記第２の蓋部材の前記収納部の高さと前記第２の脚部の高さとを加算した寸法は、前記第１の蓋部材の前記蓋本体の高さと前記第１の脚部の高さとを加算した寸法に等しいことを特徴とする請求項２に記載の電子機器。
【請求項４】
前記第２の脚部は、前記ディスク装置から外れた位置に配置されることを特徴とする請求項３に記載の電子機器。
【請求項５】
表示ユニットと、
キーボードを有する本体ユニットと、
前記本体ユニットの内部に収容されるプリント回路板と、
前記本体ユニットの底面の開口部を覆うよう着脱可能に配置された第１の蓋部材と、
前記第１の蓋部材が前記開口部から外れた状態で、前記開口部の内側かつ前記プリント回路板よりも下方の位置に装着されるハードディスク装置と、
前記開口部の内側に前記ハードディスク装置が装着された状態で前記開口部を覆うよう着脱可能に配置された第２の蓋部材と、
を具備し、
前記第２の蓋部材は、収納部を有し、この収納部に前記ハードディスク装置が収納されることを特徴とするパーソナルコンピュータ。
【発明の詳細な説明】
【技術分野】
【０００１】
本発明は、ディスク装置が搭載される電子機器およびパーソナルコンピュータに関する。
【背景技術】
【０００２】
例えば、ディスク装置を搭載した電子機器として、以下のものが開示されている。この電子機器は、筐体と、筐体に設けられたディスク収納部と、ディスク収納部に収容されるディスク装置と、ディスク収納部を覆う蓋部材と、蓋部材とディスク装置との間に設けられる衝撃吸収材と、を備えている。この電子機器では、上記の衝撃吸収材を設けることで、電子機器の耐衝撃性を高め、電子機器に強い衝撃が加えられた際に、ディスク装置にデータ破損が生ずるのを防止している（例えば、特許文献１参照）。
【０００３】
通常、電子機器は、ＣＰＵなどが実装された回路基板を備えており、この回路基板は、前記ディスク収納部から離れた位置に配置されることが多い。これによって、回路基板とディスク収納部とが重なって配置されることを防いで、電子機器の厚み寸法が増大ずることを防止している。
【特許文献１】特開平１１−２４２８８１号公報
【発明の開示】
【発明が解決しようとする課題】
【０００４】
しかしながら、例えばＢＴＯ（Build To Order）などに対応するため、当初のディスク装置に加えて、回路基板と筐体との間の位置に、さらに別のディスク装置を配置しなければならないこともある。この場合には、厚み寸法が大きくなった専用の筐体を用意する必要があり、この筐体の製造に用いる成形型が必要となって、製造コストが増大してしまう問題があった。また、筐体の厚み寸法が増大すると、電子機器の美観を損なう問題があった。
【０００５】
本発明の目的は、例えばディスク装置等を追加する際に、筐体の設計変更を最小限にすることができる電子機器を提供することにある。
【課題を解決するための手段】
【０００６】
前記目的を達成するため、本発明の一つの形態にかかる電子機器は、筐体と、前記筐体の内部に収容されるプリント回路板と、前記筐体の底面の開口部を覆うよう着脱可能に配置された第１の蓋部材と、前記第１の蓋部材が前記開口部から外れた状態で、前記開口部の内側かつ前記プリント回路板よりも下方の位置に装着されるディスク装置と、前記開口部の内側に前記ディスク装置が装着された状態で前記開口部を覆うよう着脱可能に配置された第２の蓋部材と、を具備し、前記第２の蓋部材は、収納部を有し、この収納部に前記ディスク装置が収納される。
【０００７】
前記目的を達成するため、本発明の一つの形態にかかるパーソナルコンピュータは、表示ユニットと、キーボードを有する本体ユニットと、前記本体ユニットの内部に収容されるプリント回路板と、前記本体ユニットの底面の開口部を覆うよう着脱可能に配置された第１の蓋部材と、前記第１の蓋部材が前記開口部から外れた状態で、前記開口部の内側かつ前記プリント回路板よりも下方の位置に装着されるハードディスク装置と、前記開口部の内側に前記ハードディスク装置が装着された状態で前記開口部を覆うよう着脱可能に配置された第２の蓋部材と、を具備し、前記第２の蓋部材は、収納部を有し、この収納部に前記ハードディスク装置が収納される。
【発明の効果】
【０００８】
本発明によれば、ディスク装置等を追加する際に、筐体の設計変更を最小限にすることができる。
【発明を実施するための最良の形態】
【０００９】
以下に、図１から図８を参照して、電子機器の実施形態について説明する。図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を支持しており、表示ユニット１３を本体ユニット１２に対して回動させることができる。表示ユニット１３は、ディスプレイ１５、およびラッチ１６を有している。なお、パーソナルコンピュータは、デスクトップ型のものと、ノート型のものと、を包含する概念であり、ポータブルコンピュータ１１は、このパーソナルコンピュータの一例である。
【００１０】
本体ユニット１２は、樹脂製の筐体２１と、キーボード２２と、ポインティングデバイスであるタッチパッド２３およびボタン２４と、を有している。本体ユニット１２は、筐体２１の内部に、例えばＣＰＵ（central processing unit）などの電子部品を実装したプリント回路板２５と、主ディスク装置２６と、ディスク装置である副ディスク装置２７とを備えている。主ディスク装置２６は、ポータブルコンピュータ１１に標準で搭載されるディスク装置である。副ディスク装置２７は、例えば顧客からのＢＴＯ（Build To Order）などに対応して、ポータブルコンピュータ１１に適宜に搭載されるディスク装置である。主ディスク装置２６および副ディスク装置２７は、例えば、ハードディスク装置で構成されている。
【００１１】
筐体２１は、底面２１Ａと、底面２１Ａの一部に設けられた第１の開口部３１および第２の開口部３２と、第１の開口部３１を覆うための第１の蓋部材４１と、第１の開口部３１を覆うための第２の蓋部材４２と、第２の開口部３２を覆うための第３の蓋部材４３と、を有している。図２に示すように、第１の開口部３１は、筐体２１の底面２１Ａの一部に対応する位置、つまり底面２１Ａの右部に設けられている。第２の開口部３２は、筐体２１の底面２１Ａの一部に対応する位置、つまり底面２１Ａの左部に設けられている。上記したように、筐体２１は、第１の開口部３１を覆うための蓋部材を２種類有している。第３の蓋部材４３は、第３の蓋本体４３Ａと、第３の蓋本体４３Ａから突出するように形成された第３の脚部４３Ｂと、を有している。
【００１２】
図２に示すように、第２の開口部３２は、方形に形成されており、筐体２１の内部に形成された図示しない第２の収容部と連続している。第２の開口部３２の周囲に、第３の蓋部材４３をねじ止めするための図示しない第２のねじ孔が設けられている。第２の収容部の内部に、主ディスク装置２６が収納されている。主ディスク装置２６は、図示しない第２のコネクタによって、プリント回路板２５と電気的に接続されている。
【００１３】
図４に示すように、第１の開口部３１は、方形に形成されており、筐体２１の内部に形成された第１の収容部４４と連続している。第１の収容部４４の底部は、プリント回路板２５で規定されている。つまり、プリント回路板２５は、第１の開口部３１を介して外部に露出されている。第１の開口部３１の周囲に、第１の蓋部材４１および第２の蓋部材４２をねじ止めするための第１のねじ孔４５が設けられている。また、第１の収容部４４の内部には、図５に示す副ディスク装置２７と接続するための第１のコネクタ４６が設けられている。なお、プリント回路板２５と、副ディスク装置２７との間には、これらを絶縁するためのインシュレータが設けられている。なお、インシュレータの図示は省略している。
【００１４】
図５に示すように、副ディスク装置２７は、第１の蓋部材４１が第１の開口部３１から外れた状態で、第１の収容部４４に対して装着されている。より具体的には、副ディスク装置２７は、第１の開口部３１の内側で、かつプリント回路板２５よりも下方の位置に装着されている。
【００１５】
図３に示すように、第１の蓋部材４１は、方形で略平板状の第１の蓋本体４１Ａと、第１の蓋本体４１Ａから突出するように形成された第１の脚部４１Ｂと、を有している。第１の脚部４１Ｂは、錐台形状に形成されている。第１の蓋部材４１は、図３に示すように第１の開口部３１を覆ったり、図４に示すように第１の開口部３１から外れたりすることができる。
【００１６】
図６に示すように、第２の蓋部材４２は、第２の蓋本体４２Ａと、第２の蓋本体４２Ａに設けられる収納部４２Ｂと、収納部４２Ｂから突出するように形成された第２の脚部４２Ｃと、を有している。収納部４２Ｂは、底板部４７と、底板部４７の周囲から立ち上がった枠形状の枠部４８と、を有している。第２の脚部４２Ｃは、長円形状に形成されているが、その高さ寸法は、第１の脚部４１Ｂの高さ寸法よりも小さく形成されている。収納部４２Ｂの内側に、副ディスク装置２７を収納することができる。
【００１７】
図７に示すように、第２の蓋部材４２の収納部４２Ｂは、第１の蓋部材４１の第１の脚部４１Ｂの高さの範囲内に配置されている。第２の蓋部材４２は、第１の開口部３１の内側に副ディスク装置２７が装着された状態で、図６に示すように第１の開口部３１を覆ったり、図４に示すように第１の開口部３１から外れたりすることができる。
【００１８】
図７に示すように、筐体２１の厚み寸法は、第１の開口部３１に第１の蓋部材４１を装着した状態と、第１の開口部３１に第２の蓋部材４２を装着した状態とにおいて同一になるように設計されている。このため、第２の蓋部材４２の収納部４２Ｂの高さと第２の脚部４２Ｃの高さとを加算した寸法は、第１の蓋部材４１の第１の蓋本体４１Ａの高さと第１の脚部４１Ｂの高さとを加算した寸法に等しくなっている。
【００１９】
続いて、図２と図８を参照して、主ディスク装置２６と第３の蓋部材４３の第３の脚部４３Ｂとの間の位置関係、副ディスク装置２７と第２の蓋部材４２の第２の脚部４２Ｃとの間の位置関係について説明する。
【００２０】
図２に示すように、第３の蓋部材４３の第３の脚部４３Ｂは、ポータブルコンピュータ１１の例えば幅方向Ｗにおいて、主ディスク装置２６から外れた位置に配置されている。また、図８に示すように、第２の蓋部材４２の第２の脚部４２Ｃは、ポータブルコンピュータ１１の例えば幅方向Ｗにおいて、副ディスク装置２７から外れた位置に配置されている。このため、ポータブルコンピュータ１１を机等に置いた際の衝撃が、主ディスク装置２６および副ディスク装置２７に直接的に伝達されることがないようになっている。もっとも、第３の脚部４３Ｂおよび第２の脚部４２Ｃは、ポータブルコンピュータ１１の幅方向Ｗにおいてディスク装置２６、２７から外れた位置にあるものに限られない。第３の脚部４３Ｂおよび第２の脚部４２Ｃは、ポータブルコンピュータ１１の幅方向Ｗと直交する奥行き方向においてディスク装置２６、２７から外れた位置にあってもよい。
【００２１】
続いて、図３から図６を参照して、ポータブルコンピュータ１１に副ディスク装置２７を装着する作業について説明する。まず、図３に示すように、標準の状態では、第１の開口部３１には副ディスク装置２７が装着されることはなく、第１の蓋部材４１のみが装着されている。
【００２２】
顧客からのＢＴＯに応じて、副ディスク装置２７を増設する場合には、図４に示す何も装着されていない第１の開口部３１に対して副ディスク装置２７を装着する。図５に示すように、副ディスク装置２７は、第１の開口部３１の内側で、プリント回路板２５よりも下方の位置に装着される。なお、図５では逆置きされているため、副ディスク装置２７は、同図においてプリント回路板２５よりも上方の位置に装着される。
【００２３】
このとき、副ディスク装置２７は、第１のコネクタ４６に取り付けられて、プリント回路板２５と電気的に接続される。さらに、図６に示すように、第１の開口部３１に第２の蓋部材４２を装着して、第２の蓋部材４２で副ディスク装置２７を覆うことで、副ディスク装置２７の装着作業が完了する。
【００２４】
以上が、ポータブルコンピュータ１１の実施形態である。本実施形態によれば、ポータブルコンピュータ１１は、筐体２１と、筐体２１の内部に収容されるプリント回路板２５と、筐体２１の底面の一部に設けられた第１の開口部３１を覆ったり、この第１の開口部３１から外れたりする第１の蓋部材４１と、第１の蓋部材４１が第１の開口部３１から外れた状態で、第１の開口部３１の内側かつプリント回路板２５よりも下方の位置に装着される副ディスク装置２７と、第１の開口部３１の内側に副ディスク装置２７が装着された状態で第１の開口部３１を覆ったり、第１の開口部３１から外れたりする第２の蓋部材４２と、を具備し、第２の蓋部材４２は、収納部４２Ｂを有し、この収納部４２Ｂに副ディスク装置２７が収納される。
【００２５】
この構成によれば、例えば、ＢＴＯ等に対応して、副ディスク装置２７を増設しなければならない場合であっても、第１の蓋部材４１を第２の蓋部材４２に付け替えることで、簡単に対応することができる。このため、第２の蓋部材４２を成形するための成形型を別途用意すれば足り、筐体２１全体を成形するための成形型を新たに用意する必要がない。このため、筐体２１の設計変更を最小限にすることができる。これにより、筐体２１の製造にかかるコストを低減することができる。
【００２６】
この場合、第１の蓋部材４１は、第１の蓋本体４１Ａと、第１の蓋本体４１Ａから突出するように形成された第１の脚部４１Ｂと、を有し、第２の蓋部材４２の収納部４２Ｂは、第１の蓋部材４１の第１の脚部４１Ｂの高さの範囲内に配置される。この構成によれば、第２の蓋部材４２を装着して副ディスク装置２７を新たに搭載する場合であっても、筐体２１の厚み寸法が大きくなってしまうことを防止することができる。
【００２７】
この場合、第２の蓋部材４２は、第２の脚部４２Ｃを有し、この第２の脚部４２Ｃは収納部４２Ｂから突出するように形成されており、第２の蓋部材４２の収納部４２Ｂの高さと第２の脚部４２Ｃの高さとを加算した寸法は、第１の蓋部材４１の第１の蓋本体４１Ａの高さと第１の脚部４１Ｂの高さとを加算した寸法に等しくなっている。この構成によれば、第１の開口部３１に第１の蓋部材４１を装着した状態と、第１の開口部３１に第２の蓋部材４２を装着した状態との間において、ポータブルコンピュータ１１の厚み寸法を同一にすることができる。これにより、副ディスク装置２７の搭載の有無にかかわらず、ポータブルコンピュータ１１のキーボード２２の設置高さを同じにすることができる。よって、ユーザがキーボード２２を使用する際に、同一のタイプ感覚を維持することができる。
【００２８】
この場合、第２の脚部４２Ｃは、副ディスク装置２７から外れた位置に配置される。ポータブルコンピュータ１１を机などに勢いよく置くと、各脚部４１Ｂ、４２Ｃ、４３Ｂを介して衝撃が筐体２１に伝えられるのが通常である。この構成によれば、第２の脚部４２Ｃが副ディスク装置２７から外れた位置にあるため、上記のような衝撃が直接的に副ディスク装置２７に伝達されてしまうことを防止することができる。これにより、副ディスク装置２７に保存されたデータを守ることができる。
【００２９】
また、同様に、第３の脚部４３Ｂは、主ディスク装置２６から外れた位置に配置される。これによって、上記の衝撃が直接的に主ディスク装置２６に伝達されてしまうことを防止することができる。このため、主ディスク装置２６に保存されたデータを守ることができる。
【００３０】
本発明の電子機器は、ポータブルコンピュータ１１用に限らず、例えば携帯情報端末のようなその他の電子機器に対しても実施可能である。その他、電子機器は、発明の要旨を逸脱しない範囲で種々変形して実施することができる。
【図面の簡単な説明】
【００３１】
【図１】第１の実施形態に係るポータブルコンピュータを示す斜視図。
【図２】図１に示すポータブルコンピュータを示す底面図。
【図３】図２に示すポータブルコンピュータの第１の開口部に第１の蓋部材が取り付けられた状態を示す斜視図。
【図４】図３に示す第１の開口部から第１の蓋部材を取り外した状態を示す斜視図。
【図５】図４に示す第１の開口部に副ディスク装置を装着した状態を示す斜視図。
【図６】図５に示す開口部に第２の蓋部材を取り付けられた状態を示す斜視図。
【図７】図３に示す第１の蓋部材が取り付けられたポータブルコンピュータと、第２の蓋部材が取り付けられたポータブルコンピュータとを比較して示す側面図。
【図８】図６に示すポータブルコンピュータのＦ８−Ｆ８線に沿った断面図。
【符号の説明】
【００３２】
１１…ポータブルコンピュータ、２１…筐体、２５…プリント回路板、２７…副ディスク装置、３１…第１の開口部、４１…第１の蓋部材、４１Ａ…第１の蓋本体、４１Ｂ…第１の脚部、４２…第２の蓋部材、４２Ｂ…収納部、４２Ｃ…第２の脚部、４４…第１の収容部
【図１】
2008234747.tif 000003
【図２】
2008234747.tif 000004
【図３】
2008234747.tif 000005
【図４】
2008234747.tif 000006
【図５】
2008234747.tif 000007
【図６】
2008234747.tif 000008
【図７】
2008234747.tif 000009
【図８】
2008234747.tif 000010